(57)【要約】      （修正有）【課題】ゴルファーが球を打つために前屈みになった際に、帽子の鍔先から雨水が滴り落ちることを防止する帽子を提供する。【解決手段】鍔部３を有する帽子１であり、前記鍔部はその上面に前記鍔部先端方向への水滴の落下を止めるための水滴落下防止手段１０と水滴を吸収するための水滴吸収手段１２とを有し、前記水滴落下防止手段は前記鍔部の右端から左端にかけて凸状に設けられ、前記水滴吸収手段は前記水滴落下防止手段よりも鍔先端方向に設けられている。【選択図】図１
0003182132.tif 000002
【実用新案登録請求の範囲】
【請求項１】
鍔部を有する帽子であり、前記鍔部はその上面に前記鍔部先端方向への水滴の落下を防止するための水滴落下防止手段と水滴を吸収するための水滴吸収手段とを有し、前記水滴落下防止手段を前記鍔部の右端から左端にかけて凸状に設け、前記水滴吸収手段を前記水滴落下防止手段よりも鍔先端方向に設けたことを特徴とする帽子。
【請求項２】
前記鍔部はその上面に水滴を弾くための撥水手段を有し、前記撥水手段を前記水滴落下防止手段よりも鍔根元方向に設けたことを特徴とする請求項１記載の帽子。
【請求項３】
前記鍔部はその上面に前記水滴落下防止手段を補助するための補助カバーを有し、前記補助カバーを前記水滴落下防止手段の一部を覆うように設け、前記補助カバーの長手方向の一辺を前記水滴落下防止手段よりも鍔先端側の位置に前記鍔部右端から左端にかけて前記鍔部上面と密着するように固定し、それに対向する一辺を前記水滴落下防止手段の鍔根元側が開口するように設け、前記補助カバーの一部又は全部を吸水性素材としたことを特徴とする請求項１又は請求項２記載の帽子。
【請求項４】
前記水滴防止手段の表面の一部又は全部を吸水性素材としたことを特徴とする請求項１乃至請求項３記載の帽子。
【考案の詳細な説明】
【技術分野】
【０００１】
本考案は、ゴルフ等の屋外で行うスポーツにおいて使用される帽子に関するものである。
【背景技術】
【０００２】
雨の日にゴルフ等の屋外スポーツを行う場合、プレーヤーは雨よけのために帽子を被ってプレーすることが多い。特にゴルフなど集中力を要するスポーツの場合、雨水が顔にあたると集中力を削がれるので帽子の役割は重要である。
しかし、ゴルファーはアドレス時（球を打つ構えをする際）に前屈みになるので、帽子を被っていると雨水が帽子の鍔先から滴り落ち、プレーに集中できないという問題がある。
【０００３】
このような問題を解決するため、従来より水滴落下防止部材を備える帽子が提案されてる。以下、図３と図４とに基づいて水滴落下防止部材を備える帽子について説明する。
図３は水滴落下防止部材を備えた帽子を表す斜視図である。本考案の帽子１は頭部を覆うクラウン部２と日よけ又は雨よけのための鍔部３とからなる。クラウン部２の表面には雨水を弾くことができるよう撥水加工されたナイロンなどの生地が使用されている。
図４は図３のＡーＡ断面図の鍔部３の部分を抜粋した図である。鍔部３は、表地４及び裏地５の間に介在する芯材６とからなり、表地４と裏地５とはその外側縁部をステッチ７ａにより縫い合わされている。表地４及び裏地５の素材には雨水を弾くことができるよう撥水加工されたナイロンなどの生地が使用されている。
【０００４】
図３及び図４に示すとおり、鍔部３の上面にはゴルファーが前に屈んだ際に雨水が鍔先端方向に滴り落ちることを防止する水滴落下防止部材１０（水滴落下防止手段としての水滴落下防止部材）と、水滴落下防止部材１０を補助して雨水の滴り落ちをより効果的に防ぐための補助カバー１１とが備えられている。
水滴落下防止部材１０は、芯棒８とそれを鍔部３の上面に固定させるための布製の固定部材９とからなる。芯棒８はその断面がほぼ四角形の棒状部材であり、その長さは鍔部３の右端から左端に届く程度であり、その素材は湾曲可能で撥水性のあるウレタンゴムなどの合成ゴムが使用されている。
【０００５】
固定部材９は芯棒８を包むと共に芯棒８を包んだ際に生じる余白部分を図４のようにステッチ７ｂにより鍔部３上面に縫い付けて、芯棒８を鍔部３上面に固定するものである。なお、固定部材９には撥水性のある生地が使用されている。
水滴落下防止部材１０は、鍔部３右端から左端にかけて、鍔部３の先端と鍔部３の根元との中心位置よりも少し先端寄りを通る位置に固定されている。これにより鍔部３の上面には凸状の突起が右端から左端にかけて一連に設けられることになる。なお、水滴落下防止部材１０の固定位置は鍔部３の先端と鍔部３の根元との中心位置であってもよいし、中心位置より少し鍔部３の根元寄りであってもよい。
補助カバー１１は、撥水加工されたナイロンなどの素材を使用した細長帯状の生地であり、水滴落下防止部材１０の一部を覆うように設けられてる。
補助カバー１１の長手方向の一辺は、水滴落下防止部材１０のよりもやや鍔先端寄り（鍔先端側）に鍔部３の上面と密着するようにステッチ７ｃにより縫い付けられ固定されている。また、それに対向する辺は、水滴落下防止部材１０の鍔の根元方向（クラウン部２方向）が開口するように設けられている。
【０００６】
この水滴落下防止部材１０と補助カバー１１を設けたことにより、ゴルファーがアドレス時に前屈した際、クラウン部２や鍔部３の根元方向から雨水が落ちてきても、水滴落下防止部材１０及び補助カバー１１により雨水を左右に逃がすことができ、雨水が鍔部３の先端から滴り落ちてゴルファーの集中力を削ぐという不都合を回避できる。なお、このような雨用のゴルフキャップは、例えば非特許文献１で示すネットショップにおいて販売されている。
【先行技術文献】
【特許文献】
【０００７】
【非特許文献１】Ｇｏｌｋｉｎ楽天市場店、［online］、著者不明、［平成２４年１２月１５日検索］、インターネット<URL:http://item.rakuten.co.jp/golkin/a-miz20290/>
【考案の概要】
【考案が解決しようとする課題】
【０００８】
このように帽子1は水滴落下防止部材１０と補助カバー１１を備えるので、クラウン部２や鍔部３の根元部分に落ちた雨水を鍔部３の左右に逃がすことはできる。しかし、水滴落下防止部材１０よりも鍔部３の先端部分に落ちた雨水はそのまま鍔先から滴り落ちてしまうという問題がある。また、クラウン部２や鍔部３の根元部分に落ちた雨水であっても雨量が多くなると水滴落下防止部材１０や補助カバー１１だけで雨水の落下を防ぎきることができず、水滴落下防止部材１０及び補助カバー１１を超えて鍔先から雨水が滴り落ちてしまうことがある。更に、雨足が強くなるとクラウン部２や鍔部３の根元部分に落ちた雨水がバウンドしてしまい、水滴落下防止部材１０と補助カバー１１を跳び越えて鍔先から滴り落ちてしまうこともある。
【０００９】
本考案はこのような問題に鑑みてなされたものであり、鍔先端からの雨水の滴りを効果的に防止する帽子に関するものである。
【課題を解決するための手段】
【００１０】
本考案は、鍔部を有する帽子であり、前記鍔部はその上面に前記鍔部先端方向への水滴の落下を防止するための水滴落下防止手段と水滴を吸収するための水滴吸収手段とを有し、前記水滴落下防止手段を前記鍔部の右端から左端にかけて凸状に設け、前記水滴吸収手段を前記水滴落下防止手段よりも鍔先端方向に設けた帽子である。また、前記鍔部はその上面に水滴を弾くための撥水手段を有し、前記撥水手段を前記水滴落下防止手段よりも鍔根元方向に設けた。更に、前記鍔部はその上面に前記水滴落下防止手段を補助するための補助カバーを有し、前記補助カバーを前記水滴落下防止手段の一部を覆うように設け、前記補助カバーの長手方向の一辺を前記水滴落下防止手段よりも鍔先端側の位置に前記鍔部右端から左端にかけて前記鍔部上面と密着するように固定し、それに対向する一辺を前記水滴落下防止手段の鍔根元側が開口するように設け、前記補助カバーの一部又は全部を吸水性素材としたものである。更に、前記水滴防止手段の表面の一部又は全部を吸水性素材としたものである。
【考案の効果】
【００１１】
本考案は、帽子１の鍔部３の先端に水滴吸収部材１２を設けたので、鍔先端から雨水が滴り落ちることを効果的に防止することができ、ゴルファーはプレーに集中することができる。
【図面の簡単な説明】
【００１２】
【図１】本考案に係る帽子の一例を示す斜視図である。
【図２】本考案に係る鍔部のＡーＡ断面図である。
【図３】従来の帽子の一例を示す斜視図である。
【図４】従来の帽子の鍔部のＡーＡ断面図である。
【考案を実施するための形態】
【００１３】
本考案は、ゴルフ等の屋外で行うスポーツにおいて使用される帽子に関するものであり、鍔先からの雨の滴り落ちを効果的に防止する帽子を提供するものである。以下、図面に基づいて説明する。
【実施例】
【００１４】
図１は本考案に係る帽子の一例を表す斜視図である。本考案の帽子１は、従来例（図３、図４）と同様、頭部を覆うクラウン部２と鍔部３とかなり、その基本構造は従来例とほぼ同様であるが、鍔部３が水滴吸収部材１２を備えている点で従来例と異なる。更に、固定部材９や補助カバー１１で使用されている素材が従来例とは異なる。以下、これらについて説明する。
【００１５】
図２は図１のＡーＡ断面図の鍔部３の部分を抜粋した図である。鍔部３上面は従来例と同様、水滴落下防止部材１０や補助カバー１１を備えているが、本実施例では更に鍔部３上面に水滴吸収部材１２（水滴吸収手段としての水滴吸収部材）を備えている。
水滴吸収部材１２は、高吸収性部材１３を合成樹脂１４で覆ったものである。高吸収性部材１３としては例えばベルオアシス（登録商標）などを使用するが、これに限るものではない。なお、ベルオアシス（登録商標）とはポリアクリル酸ナトリウム塩を主成分とするポリマーを直接紡糸し、繊維形状化させた高吸水・高吸湿繊維である。合成樹脂１４とは例えばポリエステルとナイロンとを合成させた樹脂であるが、これに限るものではない。
【００１６】
鍔部３上面は水滴落下防止部材１０により鍔の先端面と根元面とに区切られているが、この水滴吸収部材１２は鍔部３の先端面のほぼ全面にステッチ７ａ及びステッチ７ｄにより縫い付ける。なお、必ずしも先端面全面に縫い付ける必要はないが、より多くの雨水を吸収するためには先端面の全面に縫い付けることが望ましい。
また従来例と同様、根元面には撥水加工されたナイロンなどの生地が使用されているので、この根元面が撥水手段としての役割を果たす。なお、この根元面は撥水加工された素材を使用することが望ましいが、これに限るものではなく根元面に撥水性のない素材を使用してもよい。
【００１７】
このように水滴吸収部材１２を水滴落下防止部材１０よりも鍔の先端方向に取り付けることにより、雨水が鍔の先端面（水滴落下防止部材１０よりも鍔の先端部分）に落ちた場合でも水滴吸収部材１２が雨水を吸収するので、雨水が鍔先から滴り落ちることがなく、ゴルファーはプレーに集中することができる。また、これと同様に、雨量が多くなり雨水が水滴落下防止部材１０及び補助カバー１１から溢れて鍔の先端部分に流出した場合や、雨水が鍔の根元部分でバウンドして水滴落下防止部材１０及び補助カバー１１を跳び越えてしまった場合でも、水滴吸収部材１２が雨水を吸収するので、雨水が鍔先から滴り落ちることがなく、ゴルファーはプレーに集中することができる。
【００１８】
次に、固定部材９及び補助カバー１１に使用する素材について説明する。従来例では、固定部材９及び補助カバー１１の素材として撥水性の素材を使用していた。しかし、撥水性の素材を使用すると水滴落下防止部材１０と補助カバー１１との間に雨水が溜まってしまうことがある。
そこで、本実施例では、固定部材９及び補助カバー１１の素材を吸水性のある素材にする。吸水性のある素材とは例えばシャツ素材のようなポリエステルとナイロンの混合布などが考えられるが、これに限るものではない。このように固定部材９及び補助カバー１１の素材を吸水性素材にすることにより、雨水は固定部材９及び補助カバー１１に吸収され、後に蒸発するので、固定部材９と補助カバー１１との間に水が溜まることを防止することができる。
【００１９】
なお、固定部材９又は補助カバー１１のどちらか一方のみを吸水性素材としても良いが、水が溜まることを最小限にするためには双方を吸水性素材にすることが望ましい。また、固定部材９の一部分のみを吸収性部材にしても良いが、水が溜まることを最小限にするためには固定部材９の全部を吸収性部材にする方が望ましい。更にこれと同様に、補助カバー１１の一部分のみを吸収性部材にしても良いが、水が溜まることを最小限にするためには補助カバー１１の全部を吸収性部材にする方が望ましい。
【符号の説明】
【００２０】
１    帽子
２    クラウン部
３    鍔部
４    鍔部表地
５    鍔部裏地
６    鍔部芯材
７    ステッチ
８    芯棒
９    固定部材
１０  水滴落下防止部材
１１  補助カバー
１２  水滴吸収部材
１３  高吸収性部材
１４  合成樹脂
【図１】
0003182132.tif 000003
【図２】
0003182132.tif 000004
【図３】
0003182132.tif 000005
【図４】
0003182132.tif 000006